(57)【要約】【課題】  外部からその内部を観察することができると共に全体的な強度を確保した、簡易な構成のペット用遊具を提供する。【解決手段】  ペット用遊具１は、垂直方向に配置される縦骨群３と、水平方向に配置され、縦骨群３にその各々が脱着自在に係合する複数の横骨群６と、縦骨群３の内方の下方に配置され、縦骨群３に脱着自在に係合するベース体９とで主に構成されている。縦骨群３は複数の縦骨４からなり、複数の横骨群６の各々は複数の横骨７からなる。このようにすると、内部にペットが留まり易く、内部にいるペットを外部から観察することができると共に全体的な強度も確保され、分解及び組立が容易である簡易な構成となる。【選択図】  図１
2017175932.tif 000002
【特許請求の範囲】
【請求項１】
ペット用遊具であって、
垂直方向に配置され、リング形状を有する第１縦骨と、
垂直方向に配置され、平面視において前記第１縦骨に上下２箇所で交差するように脱着自在に係合する、リング形状を有する第２縦骨とを備えた、ペット用遊具。
【請求項２】
水平方向に配置され、前記第１縦骨の上下方向部分の一方と前記第２縦骨の上下方向部分の一方のうち隣接する部分同士に脱着自在に係合する第１横骨を更に備えた、請求項１記載のペット用遊具。
【請求項３】
前記第１縦骨及び前記第２縦骨の内方の下方に配置され、これらに脱着自在に係合するベース体を更に備えた、請求項２記載のペット用遊具。
【請求項４】
前記第１縦骨及び前記第２縦骨、前記第１横骨並びに前記ベース体の各々は、シート体から形成され、
これらは少なくとも一方に形成されたスリットを介して係合する、請求項３記載のペット用遊具。
【請求項５】
前記第１横骨は、前記第１縦骨及び前記第２縦骨の内方側から係合する、請求項４記載のペット用遊具。
【請求項６】
前記第１横骨に対して上下高さの異なった位置において水平方向に配置される第２横骨を更に備え、
前記第２横骨の一方端部は、前記第１横骨の一方端部が係合する前記第１縦骨の前記上下方向部分の一方に脱着自在に係合し、
前記第２横骨の他方端部は、前記第１横骨の他方端部が係合する前記第２縦骨の前記上下方向部分の一方とは反対方向に隣接する前記第２縦骨の上下方向部分に脱着自在に係合する、請求項４又は請求項５記載のペット用遊具。
【請求項７】
垂直方向に配置され、平面視において前記第１縦骨及び前記第２縦骨に上下２箇所で交差するように脱着自在に係合する、リング形状を有する第３縦骨と、
前記第１横骨に対して上下高さの異なった位置において水平方向に配置される第２横骨とを更に備え、
前記第２横骨の一方端部は、前記第１横骨の一方端部が係合する前記第１縦骨の前記上下方向部分の一方に脱着自在に係合し、
前記第２横骨の他方端部は、前記第１横骨の他方端部が係合する前記第２縦骨の前記上下方向部分の一方とは反対方向に隣接する前記第３縦骨の上下方向部分に脱着自在に係合する、請求項４又は請求項５記載のペット用遊具。
【請求項８】
水平方向に配置され、前記縦骨の全てと係合するように前記第１横骨を含んで構成される横骨群を更に備え、
前記縦骨の全てから構成される全体形状は、上方向に先細りとなっており、
前記横骨群が上下高さにおいて一定間隔で複数配置されている、請求項３から請求項７のいずれかに記載のペット用遊具。
【発明の詳細な説明】
【技術分野】
【０００１】
この発明はペット用遊具に関し、特に、猫等のペットが遊ぶためのペット用遊具に関するものである。
【背景技術】
【０００２】
猫等のペットには、周囲が囲まれており、自身が陰にいると認識することができる場所を好む習性がある。
【０００３】
従来、上記の習性を利用して、内部に猫等のペットが入り込んで遊び、飼い主がその様子を観察することのできるペット用遊具が存在する。
【０００４】
図５は特許文献１に開示された従来のペット用遊具の外観を示す斜視図である。
【０００５】
図を参照して、ペット用遊具７１は、立方体のダンボール素材からなる本体７２と本体７２の一面に形成された開口７３とから構成されている。本体７２の他面には装飾表現７４が形成されている。装飾表現７４は、単なる模様からなるものの他、穴を開けてなるもの等が存在する。
【０００６】
使用に際しては、開口７３が水平方向を向くようにペット用遊具７１を設置しておくことで、図示しない猫等のペットが開口７３から本体７２内部に入り込む。本体７２内部に入り込んだペットは、自身が陰にいると認識し、本体７２内部に留まる。ペットが本体７２内部に留まっている様子を、図示しない飼い主が開口７３を介して外部から観察することができる。
【先行技術文献】
【特許文献】
【０００７】
【特許文献１】特開２００９−２４７３４２号公報
【発明の概要】
【発明が解決しようとする課題】
【０００８】
しかし、上記のような従来のペット用遊具７１にあっては、本体７２には完全に被覆された面が存在するため、本体７２内部のうち飼い主が外部から観察することのできる部分の範囲が小さく、本体７２内部に留まっているペットの様子を観察しにくかった。又、本体７２内部を観察することのできる部分の範囲が大きくなるように装飾表現７４を穴として形成すると、ペット用遊具７１の耐久性が落ちるという問題があった。更に、例えば本体７２の上面に穴を形成して本体７２内部を観察することができるようにすると、本体７２内部に光が差し込むことになる結果、本体７２内部のペットは自身が陰にいるとは認識せず本体７２内部に留まらないという問題があった。
【０００９】
この発明は、上記のような課題を解決するためになされたもので、外部からその内部を観察することができると共に全体的な強度を確保した、簡易な構成のペット用遊具を提供することを目的とする。
【課題を解決するための手段】
【００１０】
上記の目的を達成するために、請求項１記載の発明は、ペット用遊具であって、垂直方向に配置され、リング形状を有する第１縦骨と、垂直方向に配置され、平面視において第１縦骨に上下２箇所で交差するように脱着自在に係合する、リング形状を有する第２縦骨とを備えたものである。
【００１１】
このように構成すると、分解、組立が容易で内部が観察できる。
【００１２】
請求項２記載の発明は、請求項１記載の発明の構成において、水平方向に配置され、第１縦骨の上下方向部分の一方と第２縦骨の上下方向部分の一方のうち隣接する部分同士に脱着自在に係合する第１横骨を更に備えたものである。
【００１３】
このように構成すると、第１縦骨と第２縦骨の位置関係が固定される。
【００１４】
請求項３記載の発明は、請求項２記載の発明の構成において、第１縦骨及び第２縦骨の内方の下方に配置され、これらに脱着自在に係合するベース体を更に備えたものである。
【００１５】
このように構成すると、内部に平坦部が形成される。
【００１６】
請求項４記載の発明は、請求項３記載の発明の構成において、第１縦骨及び第２縦骨、第１横骨並びにベース体の各々は、シート体から形成され、これらは少なくとも一方に形成されたスリットを介して係合するものである。
【００１７】
このように構成すると、シート体から各構成品が形成される。
【００１８】
請求項５記載の発明は、請求項４記載の発明の構成において、第１横骨は、第１縦骨及び第２縦骨の内方側から係合するものである。
【００１９】
このように構成すると、第１横骨の外方への脱落が阻止される。
【００２０】
請求項６記載の発明は、請求項４又は請求項５記載の発明の構成において、第１横骨に対して上下高さの異なった位置において水平方向に配置される第２横骨を更に備え、第２横骨の一方端部は、第１横骨の一方端部が係合する第１縦骨の上下方向部分の一方に脱着自在に係合し、第２横骨の他方端部は、第１横骨の他方端部が係合する第２縦骨の上下方向部分の一方とは反対方向に隣接する第２縦骨の上下方向部分に脱着自在に係合するものである。
【００２１】
このように構成すると、隣接する２本の縦骨同士の二つの間隔が保持される。
【００２２】
請求項７記載の発明は、請求項４又は請求項５記載の発明の構成において、垂直方向に配置され、平面視において第１縦骨及び第２縦骨に上下２箇所で交差するように脱着自在に係合する、リング形状を有する第３縦骨と、第１横骨に対して上下高さの異なった位置において水平方向に配置される第２横骨とを更に備え、第２横骨の一方端部は、第１横骨の一方端部が係合する第１縦骨の上下方向部分の一方に脱着自在に係合し、第２横骨の他方端部は、第１横骨の他方端部が係合する第２縦骨の上下方向部分の一方とは反対方向に隣接する第３縦骨の上下方向部分に脱着自在に係合するものである。
【００２３】
このように構成すると、隣接する３本の縦骨同士の二つの間隔が保持される。
【００２４】
請求項８記載の発明は、請求項３から請求項７のいずれかに記載の発明の構成において、水平方向に配置され、縦骨の全てと係合するように第１横骨を含んで構成される横骨群を更に備え、縦骨の全てから構成される全体形状は、上方向に先細りとなっており、横骨群が上下高さにおいて一定間隔で複数配置されているものである。
【００２５】
このように構成すると、縦骨の全て及び横骨群の、ベース体に対する平面投影面積が大きくなる。
【発明の効果】
【００２６】
以上説明したように、請求項１記載の発明は、分解、組立が容易で内部が観察できるため、使用勝手が向上する。
【００２７】
請求項２記載の発明は、請求項１記載の発明の効果に加えて、第１縦骨と第２縦骨の位置関係が固定されるため、強度が増加する。
【００２８】
請求項３記載の発明は、請求項２記載の発明の効果に加えて、内部に平坦部が形成されるため、骨格全体がより安定し、ペットが利用しやすくなる。
【００２９】
請求項４記載の発明は、請求項３記載の発明の効果に加えて、シート体から各構成品が形成されるため、効率的且つ経済的となり、又、不使用時の収納が容易となる。
【００３０】
請求項５記載の発明は、請求項４記載の発明の効果に加えて、第１横骨の外方への脱落が阻止されるため、内方から第１横骨に力が加わっても形状が維持される。
【００３１】
請求項６記載の発明は、請求項４又は請求項５記載の発明の効果に加えて、隣接する２本の縦骨同士の二つの間隔が保持されるため、縦骨による骨格の安定性が向上する。
【００３２】
請求項７記載の発明は、請求項４又は請求項５記載の発明の効果に加えて、隣接する３本の縦骨同士の二つの間隔が保持されるため、縦骨による骨格の安定性が向上する。
【００３３】
請求項８記載の発明は、請求項３から請求項７のいずれかに記載の発明の効果に加えて、縦骨の全て及び横骨群の、ベース体に対する平面投影面積が大きくなるため、内部にいるペットが、自身が陰にいると認識し、内部に留まり易くなる。
【図面の簡単な説明】
【００３４】
【図１】この発明の実施の形態によるペット用遊具の外観を示す斜視図である。
【図２】図１で示したペット用遊具の分解状態を示す斜視図である。
【図３】図１で示したペット用遊具の組立工程を示す斜視図であって、（１）は縦骨の組立工程を示すものであり、（２）〜（４）はベース体及び横骨の組立工程を示すものである。
【図４】図３で示したペット用遊具の縦骨上部の拡大斜視図であって、（１）は“Ａ”部分を示すものであり、（２）は“Ｂ”部分を示すものであり、（３）は“Ｃ”部分を示すものである。
【図５】図５は従来のペット用遊具の外観を示す斜視図である。
【発明を実施するための形態】
【００３５】
図１はこの発明の実施の形態によるペット用遊具の外観を示す斜視図である。又、図２は図１で示したペット用遊具の分解状態を示す斜視図である。
【００３６】
これらの図を参照して、ペット用遊具１は、例えばシート状の段ボール素材からなり、垂直方向に配置される縦骨群３と、水平方向に配置され、縦骨群３にその各々が脱着自在に係合する複数の横骨群６ａ〜６ｇと、縦骨群３の内方の下方に配置され、縦骨群３に脱着自在に係合するベース体９とで主に構成されている。ペット用遊具１の下方に位置する横骨群６ｅ〜６ｇは、その隣接する端部同士が所定の間隔を設けるように配置されており、それによって複数の開口１０が形成されている。
【００３７】
まず、ペット用遊具１の全体形状は、縦骨群３によって構成されており、上方向に先細りである。縦骨群３は、その各々が垂直方向に配置され所定幅のリング形状を有する縦骨４ａ〜４ｃから構成されている。第１縦骨である縦骨４ａと第２縦骨である縦骨４ｂと第３縦骨である縦骨４ｃとは、図示しない縦骨垂直スリットの形状が相違する他は互いに同一形状であって上方向に先細りのリング形状であり、載置面を下として上下２箇所（縦骨交差領域１２ａ、１２ｂ）で平面視において互いに交差するように脱着自在に係合している。これらの係合の詳細については後述する。
【００３８】
又、縦骨４ａ〜４ｃの各々には、その対向する両側の上下方向部分（例えば縦骨４ｂの上下方向部分１３ａ、１３ｂ）の各々に、横骨群６の個数と同数（この実施の形態にあっては７個）の縦骨水平スリット１５ａ〜１５ｇが形成されている。上から２列の縦骨水平スリット１５ａ、１５ｂは外方側から幅中央に向けて水平方向に形成されており、残りの下から５列の縦骨水平スリット１５ｃ〜１５ｇは内方側から幅中央に向けて水平方向に形成されている。これら縦骨水平スリット１５ａ〜１５ｇの各々の形成されている方向から、後述する横骨７を差し込んで係合させることになる。
【００３９】
次に、横骨群６ａ〜６ｇの各々は、縦骨４の個数と同数の横骨７から構成されている。例えば、横骨群６ａは横骨７ａ〜７ｃから構成されている。横骨７ａ〜７ｃの各々は、互いに同一形状であって所定幅の湾曲線形状であり、２個の横骨スリット１７が内方側から幅中央に向けて水平方向に形成されている。複数の横骨７によって構成される横骨群６は、全体として所定幅を有するリング形状となる。そして、例えば横骨７ａの２個の横骨スリット１７の形成方向及び位置関係は、縦骨４ａの最上段の縦骨水平スリット１５ｈ及びこれと隣接する縦骨４ｂの最上段の縦骨水平スリット１５ａの形成方向及び位置関係と対応している。即ち、横骨７ａの横骨スリット１７の一方を縦骨４ｂの上下方向部分１３ａの最上段の縦骨水平スリット１５ａに対して外方側から差し込んで係合させた時、横骨７ａの横骨スリット１７の他方は、縦骨４ｂと隣接する縦骨４ａの上下方向部分１３ｃの最上段の縦骨水平スリット１５ａと係合する。その他の横骨７についても同様に、第１縦骨４の上下方向部分１３の一方と第２縦骨４の上下方向部分１３の一方のうち隣接する部分同士に脱着自在に係合する。
【００４０】
尚、上述のように縦骨水平スリット１５のうち下から５列のものは内方側から幅中央に向けて水平方向に形成されている。そのため、例えば下方に位置する横骨７ｄは、縦骨４ａ及び縦骨４ｂの内方側から係合する。このように構成することで、横骨７ｄの外方への脱落が阻止されるため、内方から横骨７ｄに力が加わっても形状が維持される。即ち、内部にペットが入って遊ぶ場合にも、ペット用遊具１の全体形状が維持されることとなる。
【００４１】
又、横骨７の横骨スリット１７が形成されている部分における横骨スリット１７を含んだ幅方向長さと、縦骨４の縦骨水平スリット１５が形成されている部分における縦骨水平スリット１５を含んだ幅方向長さと、縦骨水平スリット１５の長さと横骨スリット１７の長さとの合計とは、互いに同一であるため、横骨７と縦骨４との係合箇所の各々の水平方向表面は面一となる。そのため、全体形状が整った美観へと改善されると共に、内部又は外部にいるペットがペット用遊具で遊んでも各係合箇所の出っ張りに引っかかるような事態が起こりづらく、ペットがストレスを受ける虞が減少する。
【００４２】
次に、ベース体９は、円盤形状であり、縦骨４の個数の２倍の個数のベース体スリット１８が周方向等間隔に形成されている。縦骨４の各々が２個のベース体スリット１８と係合するように、ベース体９を縦骨群３の内方の下方に配置することができる。
【００４３】
このようにして構成されるペット用遊具１を設置しておくことで、図示しないペットが開口１０からペット用遊具１内部に入り込む。このとき、ペット用遊具１の全体形状が上方向に先細りとなっており、複数の横骨群６が上下高さにおいて一定間隔で配置されていることから、縦骨４の全て及び横骨群６のベース体９に対する平面投影面積が大きくなる。そのため、内部のベース体９上にいるペットが、自身が陰にいると認識し内部に留まり易くなる。そして、内部のペットをペット用遊具１の斜め上方（例えば図１の方向視）から観察することができる。このようにして、ペット用遊具１は、ペットが内部に留まり易くなることと内部のペットを外部から観察することができることという二律背反の関係にある２つの課題を同時に解決したものである。
【００４４】
又、ペット用遊具１の全体形状が上方向に先細りとなっていることにより、ペットがペット用遊具１の上に登りづらくなると共に仮にペット用遊具１の上に登ることができたとしても上方向への先細り形状により傾斜しているためペットが長く留まるには不安定な場所となる。そのため、ペット用遊具１の中に入ることを誘導する効果を奏する。更に、ペットがペット用遊具１の上に登り遊ぶことで想定外の荷重がかかりペット用遊具１が壊される虞が少なくなる。
【００４５】
ペット用遊具１の構成品である縦骨４、横骨７及びベース体９の各々はシート体から形成され、各々がスリットを介して係合するため、素材のコストを抑えながら全体的な強度を一定程度確保することができ、効率的且つ経済的である。又、不使用時には分解して各構成品を１つの面上に容易に納めることができ、場所を取らないため収納性が高い。
【００４６】
次に、図３は図１で示したペット用遊具の組立工程を示す斜視図であって、（１）は縦骨の組立工程を示すものであり、（２）〜（４）はベース体及び横骨の組立工程を示すものである。
【００４７】
まず（１）を参照して、縦骨４ａ〜４ｃを平面視において互いに所定角度で交差するように係合させる。
【００４８】
ここで、図４は図３で示したペット用遊具の縦骨上部の拡大斜視図であって、（１）は“Ａ”部分を示すものであり、（２）は“Ｂ”部分を示すものであり、（３）は“Ｃ”部分を示すものである。
【００４９】
まず（１）を参照して、縦骨４ａ上部には、内方側から縦骨垂直スリット１６ａが形成されており、縦骨垂直スリット１６ａによって侵食された外方側の縦骨４ａの幅の幅方向長さはＸであり、縦骨垂直スリット１６ａの長さは後述するＹ＋Ｚである。
【００５０】
次に（２）を参照して、縦骨４ｂ上部には、外方側から縦骨垂直スリット１６ｂと内方側から縦骨垂直スリット１６ｃとが形成されており、縦骨垂直スリット１６ｂ、１６ｃによって侵食された縦骨４ｂの幅の幅方向長さはＹであり、縦骨垂直スリット１６ｂの長さはＸであり、縦骨垂直スリット１６ｃの長さはＺである。
【００５１】
次に（３）を参照して、縦骨４ｃ上部には、外方側から縦骨垂直スリット１６ｄが形成されており、縦骨垂直スリット１６ｄによって侵食された内方側の縦骨４ｃの幅の幅方向長さはＺであり、縦骨垂直スリット１６ａの長さはＸ＋Ｙである。
【００５２】
尚、図３の（１）にも示すように、縦骨４ａ〜４ｃの各々の下部には、上部の縦骨垂直スリット１６と対称な位置に縦骨垂直スリット１６が形成されている。
【００５３】
組立にあっては、まず縦骨４ａに対して内方側から縦骨４ｂを差し込み縦骨垂直スリット１６ａ、１６ｂを介して係合させる。次に、係合した縦骨４ａ、４ｂに対して内方側から縦骨４ｃを差し込み縦骨垂直スリット１６ａ、１６ｃ、１６ｄを介して係合させる。このようにして構成することで、縦骨４ａ〜４ｃ上部及び下部の幅方向長さはいずれもＸ＋Ｙ＋Ｚとなるため、図２で縦骨交差領域１２ａ、１２ｂとして示したように縦骨４ａ〜４ｃはその係合箇所が面一となるように係合し、縦骨群３が構成される。このように、縦骨群３は分解、組立が容易で内部が観察できる簡易な構成であるため、使用勝手が向上する。
【００５４】
次に、図３の（２）を参照して、縦骨群３に対して、その内方の下方にベース体９を配置する。上述したように図２で示したベース体スリット１８を介してベース体９を縦骨群３に対して係合させ配置することによって、縦骨群３の内部にベース体９の平坦部が形成されるため、骨格全体がより安定すると共に、ペットが平坦部に乗ることができるようになるため、利用しやすくなる。
【００５５】
そして、横骨７の各々を、上述したように第１縦骨４の上下方向部分１３の一方と第２縦骨４の上下方向部分１３の一方のうち隣接する部分同士に係合させていく。このように、横骨７の各々は縦骨群３によって構成されたペット用遊具１の全体形状を補強するように配置され、これによって第１縦骨４とそれに隣接する第２縦骨４との位置関係が固定されるため、ペット用遊具１の全体的な強度が増加する。
【００５６】
このとき、横骨７の各々にはミシン目で数字（設置段に対応）が打ち込まれており、その横骨７を組み立てる際に何段目のスリットに係合させるべきかが判断しやすくなっている。
【００５７】
そして、横骨７を下方から組み立てていくことで、（３）に示すように、横骨群６ｅ〜６ｇが配置された状態となる。横骨群６ｅには、第１横骨である横骨７ｄが含まれる。横骨群６ｅ〜６ｇの各々の隣接する横骨７の端部同士は周方向に所定長さの間隔を設けて上下に整列させて配置されることにより開口１０を形成している。
【００５８】
次に、（４）を参照して、第２横骨である横骨７ｅは、横骨７ｄに対して上下高さの異なった位置において水平方向に配置されている。そして、横骨７ｅの一方端部は、横骨７ｄの一方端部が係合する縦骨４ａの上下方向部分の一方１３ｃに脱着自在に係合し、横骨７ｅの他方端部は、横骨７ｄの他方端部が係合する縦骨４ｂの上下方向部分の一方１３ａとは反対方向に隣接する縦骨４ｃの上下方向部分１３ｄに脱着自在に係合している。このように構成することで、隣接する３本の縦骨同士の二つの間隔が保持されるため、縦骨による骨格が安定する。
【００５９】
横骨群６は、複数の横骨７で構成され、横骨７の各々の長さは周方向において隣接する横骨７の端部同士の間隔部分２０（例えば間隔部分２０ａ）が発生するように設定されている。これによって、隣接する横骨７同士が衝突することを避け、組立を容易としたものである。
【００６０】
ここで、間隔部分２０は隣接する縦骨４同士を直接連結している部分と比べて強度が低くなる。しかし、上述したように第２横骨７を第１横骨７とは異なる２つの縦骨４と係合するように構成することで、例えば間隔部分２０ａと間隔部分２０ｂのように、上下方向において隣接する位置における間隔部分２０の各々は互いに周方向が異なる位置に発生することになり、全体的な強度が確保される。
【００６１】
そして、横骨群６の上から２段においては、横骨７を外方側から係合させる。これによって、外側からかかる力に対するペット用遊具１の強度が向上する。このように、内方側と外方側から係合させる２種の横骨７を併用することで、ペット用遊具１は内側から及び外側からかかる力の両方に対して全体的な強度を向上させたものである。
【００６２】
最終的に、複数の横骨７の全部が縦骨群３に対して係合されることにより、図１で示したペット用遊具１が構成される。
【００６３】
以上説明したように、ペット用遊具１は、内部にペットが留まり易く、内部にいるペットを外部から観察することができると共に全体的な強度も確保され、分解及び組立が容易である簡易な構成を実現したものである。
【００６４】
尚、上記の実施の形態では、ペット用遊具は段ボールからなるが、他のシート状の合成樹脂や木材等の素材からなるものであっても良い。又、各構成品がシート体から形成されるものでなくとも良い。
【００６５】
又、上記の実施の形態では、ペット用遊具はペットが内部に留まりその内部にいるペットを飼い主が観察するようにして使用しているが、使用方法はこれに限定されない。
【００６６】
更に、上記の実施の形態では、ペット用遊具の全体形状並びにこれを構成する縦骨、横骨及びベース体の各々は特定の形状であったが、他の形状であっても良い。
【００６７】
更に、上記の実施の形態では、ベース体が構成品に含まれるが、ベース体を含まなくとも良い。
【００６８】
更に、上記の実施の形態では、横骨及びそれを含む横骨群が構成品に含まれるが、横骨群が形成されなくとも良い。又、横骨が無くとも良い。
【００６９】
更に、上記の実施の形態では、縦骨群は３本の縦骨からなるが、２本の縦骨からなるものでも良い。その場合、第２横骨の一方端部は、第１横骨の一方端部が係合する第１縦骨の上下方向部分の一方に脱着自在に係合し、第２横骨の他方端部は、第１横骨の他方端部が係合する第２縦骨の上下方向部分の一方とは反対方向に隣接する第２縦骨の上下方向部分に脱着自在に係合することとなる。このように構成することで、隣接する２本の縦骨同士の二つの間隔が保持されるため、縦骨による骨格が安定する。又、第１横骨に対して上記のような関係にある第２横骨が無くとも良い。
【００７０】
更に、上記の実施の形態では、縦骨群は３本の縦骨からなるが、４本以上の縦骨からなるものでも良い。尚、ベース体のベース体スリットの個数や、１つの横骨群を構成する横骨の個数等は、上述したように縦骨の個数に対応させることで構成される。
【００７１】
更に、上記の実施の形態では、３本の縦骨が平面視においてそれぞれ等角度を形成して交差するように係合していたが、等角度で無くとも良い。その場合、１つの横骨群を構成する複数の横骨の各々は、互いに異なる形状となる。
【００７２】
更に、上記の実施の形態では、第１縦骨、第２縦骨及び第３縦骨はそれぞれ特定の縦骨を指していたが、それぞれ他の縦骨を指しても良い。
【００７３】
更に、上記の実施の形態では、第１横骨及び第２横骨がそれぞれ特定の横骨を指していたが、それぞれ他の横骨を指しても良い。
【００７４】
更に、上記の実施の形態では、縦骨、横骨及びベース体の各々が特定の形状であったが、各々が他の形状であっても良い。
【００７５】
更に、上記の実施の形態では、縦骨、横骨及びベース体の各々が特定の形状のスリットを介して係合していたが、スリットの形状や長さ等は他のものでも良い。例えば、縦骨水平スリットが斜め上方に向けて１５度傾いていても良い。その場合、横骨も対応して横骨自体が１５度傾きながら水平方向に配置される。
【００７６】
更に、上記の実施の形態では、特定の横骨が第１縦骨及び第２縦骨の内方側から係合していたが、内方側から係合しなくとも良い。
【００７７】
更に、上記の実施の形態では、第２横骨の一方端部は、第１横骨の一方端部が係合する第１縦骨の上下方向部分の一方に脱着自在に係合し、第２横骨の他方端部は、第１横骨の他方端部が係合する第２縦骨の上下方向部分の一方とは反対方向に隣接する第３縦骨の上下方向部分に脱着自在に係合していたが、第１横骨に対して上記のような関係にある第２横骨が無くとも良い。
【００７８】
更に、上記の実施の形態では、縦骨の各々は縦骨垂直スリットの形状を除いて互いに同一の形状であったが、互いに異なる形状であっても良い。
【００７９】
更に、上記の実施の形態では、縦骨同士の係合及び縦骨と横骨との係合が、係合する双方に形成されたスリットを介したものであったが、縦骨同士の係合及び縦骨と横骨との係合は、一方に形成されたスリットを介したものであっても良い。
【００８０】
更に、上記の実施の形態では、横骨群は上下方向の異なる高さにおいて７段備えられているが、他の段数でも良い。但し、７段のものに比べ、６段以下であれば全体的な強度が低くなり、８段以上であれば強度は高くなるが横骨の個数増加により組立が煩雑になるため、７段であることが好ましい。
【００８１】
更に、上記の実施の形態では、横骨群は３個の横骨からなるが、他の個数からなるものでも良い。但し、２個の横骨からなるものであると、横骨１本の長さが長くなると共にスリットの個数が増加するため組立しづらくなる。又、４個以上の横骨からなるものであると、横骨の個数増加により組立の手間が増加する。したがって、３個の横骨からなるものが好ましい。
【符号の説明】
【００８２】
１…ペット用遊具
４…縦骨
６…横骨群
７…横骨
９…ベース体
１３…上下方向部分
１５…縦骨水平スリット
１６…縦骨垂直スリット
１７…横骨スリット
１８…ベース体スリット
尚、各図中同一符号は同一又は相当部分を示す。
【図１】
2017175932.tif 000003
【図２】
2017175932.tif 000004
【図３】
2017175932.tif 000005
【図４】
2017175932.tif 000006
【図５】
2017175932.tif 000007